(57)【要約】【課題】ディスクの情報記録面にラベル情報の記録ができるようにしつつも、ラベル記録によるディスクの記憶容量減少を防ぐ。【解決手段】ラベルが記録されるべきラベル位置（“Ａ”等の絵文字が記録される位置）を決定する（ＳＴ１２）。ディスクの情報記録面のうち、ラベル位置以外では、通常の方法でデジタルコンテンツの情報記録をする（ＳＴ１６）。一方、ディスクの情報記録面のうち、ラベル位置では、ラベルの情報（“Ａ”等の絵文字パターン情報）を、その視覚的なパターンがこのラベル位置以外と異なるように変調をかけて記録するとともに、このラベル位置内に前記デジタルコンテンツの情報も混在して記録する（ＳＴ２２）。【選択図】  図３
2005339735.tif 000002
【特許請求の範囲】
【請求項１】
記録再生可能な情報記録面を持つ光ディスクの前記情報記録面にデジタルコンテンツとラベルを記録する記録方法において、
前記ラベルが記録されるべきラベル位置を決定し、
前記光ディスクの情報記録面のうち、前記ラベル位置以外では、前記デジタルコンテンツの情報を記録し、
前記光ディスクの情報記録面のうち、前記ラベル位置では、前記ラベルの情報を、その視覚的なパターンがこのラベル位置以外と異なるように、エラー訂正が可能な範囲で変調をかけて記録する記録方法。
【請求項２】
同心円状あるいは螺旋状の記録トラックにより構成される記録再生可能な情報記録面を持つ光ディスクの前記情報記録面にデジタルコンテンツとラベルを記録する記録方法において、
前記ラベルが記録されるべきラベル位置を決定し、
前記光ディスクの情報記録面のうち、前記ラベル位置以外では、前記記録トラックに前記デジタルコンテンツの情報を記録し、
前記光ディスクの情報記録面のうち、前記ラベル位置内の特定記録トラックでは前記ラベルの情報を記録し、前記特定記録トラックに隣接する隣接トラックでは前記デジタルコンテンツの情報を記録することを特徴とする記録方法。
【請求項３】
同心円状あるいは螺旋状の、セクタ分割された記録トラックにより構成される記録再生可能な情報記録面を持つ光ディスクの前記情報記録面にデジタルコンテンツとラベルを記録する記録方法において、
前記ラベルが記録されるべきラベル位置を決定し、
前記光ディスクの情報記録面のうち、前記ラベル位置以外では、前記記録トラックに前記デジタルコンテンツの情報を記録し、
前記光ディスクの情報記録面のうち、前記ラベル位置内の特定セクタでは前記ラベルの情報を記録し、前記特定セクタに隣接する隣接セクタでは前記デジタルコンテンツの情報を記録することを特徴とする記録方法。
【請求項４】
前記ラベル位置における前記ラベル情報の幅が、インターリーブの長さの半分以下となるように構成した請求項１ないし請求項３のいずれか１項に記載の記録方法。
【請求項５】
前記ラベル位置における前記ラベル情報の変調が、記録波形のデューティ比が５０％前後となるように行われる請求項１ないし請求項３のいずれか１項に記載の記録方法。
【請求項６】
前記ラベル位置における前記ラベル情報の変調が、記録波形の信号レベルが前記ラベル位置以外の場合より低くなるように行われる請求項１ないし請求項３のいずれか１項に記載の記録方法。
【請求項７】
前記ラベルの情報と前記デジタルコンテンツの情報とは、前記情報記録面内で混在して記録されていることを特徴とする請求項１ないし請求項３のいずれか１項に記載の記録方法。
【請求項８】
記録再生可能な情報記録面を持つ光ディスクの前記情報記録面にデジタルコンテンツとラベルを記録する記録装置において、
前記光ディスクを回転駆動するスピンドルモータと、
前記スピンドルモータで回転駆動される前記光ディスクに対してレーザ記録を行なうとともに、前記光ディスクからのレーザ反射光を検出するレーザピックアップと、
前記情報記録面のうち、前記ラベルが記録されるべきラベル位置を決定するラベル位置決定手段と、
前記光ディスクの情報記録面のうち、前記ラベル位置以外では、前記デジタルコンテンツの情報を記録するように前記レーザピックアップを駆動する駆動手段と、
前記光ディスクの情報記録面のうち、前記ラベル位置では、前記ラベルの情報を、その視覚的なパターンがこのラベル位置以外と異なるように、エラー訂正が可能な範囲で変調をかけて記録する記録手段とを具備することを特徴とする記録装置。
【請求項９】
同心円状あるいは螺旋状の記録トラックにより構成される記録再生可能な情報記録面を持つ光ディスクの前記情報記録面にデジタルコンテンツとラベルを記録する記録装置において、
前記光ディスクを回転駆動するスピンドルモータと、
前記スピンドルモータで回転駆動される前記光ディスクに対してレーザ記録を行なうとともに、前記光ディスクからのレーザ反射光を検出するレーザピックアップと、
前記ラベルが記録されるべきラベル位置を決定するラベル位置決定手段と、
前記光ディスクの情報記録面のうち、前記ラベル位置以外では、前記記録トラックに前記デジタルコンテンツの情報を記録するように前記レーザピックアップを駆動する駆動手段と、
前記光ディスクの情報記録面のうち、前記ラベル位置内の特定記録トラックでは前記ラベルの情報を記録し、前記特定記録トラックに隣接する隣接トラックでは前記デジタルコンテンツの情報を記録する記録手段とを具備することを特徴とする記録装置。
【請求項１０】
同心円状あるいは螺旋状の、セクタ分割された記録トラックにより構成される記録再生可能な情報記録面を持つ光ディスクの前記情報記録面にデジタルコンテンツとラベルを記録する装置において、
前記光ディスクを回転駆動するスピンドルモータと、
前記スピンドルモータで回転駆動される前記光ディスクに対してレーザ記録を行なうとともに、前記光ディスクからのレーザ反射光を検出するレーザピックアップと、
前記ラベルが記録されるべきラベル位置を決定するラベル位置決定手段と、
前記光ディスクの情報記録面のうち、前記ラベル位置以外では、前記記録トラックに前記デジタルコンテンツの情報を記録するように前記レーザピックアップを駆動する駆動手段と、
前記光ディスクの情報記録面のうち、前記ラベル位置内の特定セクタでは前記ラベルの情報を記録し、前記特定セクタに隣接する隣接セクタでは前記デジタルコンテンツの情報を記録することを特徴とする記録装置。
【請求項１１】
前記ラベル位置における前記ラベル情報の幅が、インターリーブの長さの半分以下となるように構成した請求項８ないし請求項１０のいずれか１項に記載の記録装置。
【請求項１２】
前記ラベル位置における前記ラベル情報の変調が、記録波形のデューティ比が５０％前後となるように行われる請求項８ないし請求項１０のいずれか１項に記載の記録装置。
【請求項１３】
前記ラベル位置における前記ラベル情報の変調が、記録波形の信号レベルが前記ラベル位置以外の場合より低くなるように行われる請求項８ないし請求項１０のいずれか１項に記載の記録装置。
【請求項１４】
前記ラベルの情報と前記デジタルコンテンツの情報とは、前記情報記録面内で混在して記録されていることを特徴とする請求項８ないし請求項１０のいずれか１項に記載の記録装置。
【発明の詳細な説明】
【技術分野】
【０００１】
この発明は、光ディスクの情報面にラベル等を記録する方法、およびこの方法を用いる装置に関する。
【背景技術】
【０００２】
近年、リムーバブルな大容量情報記録媒体として、録再可能な光ディスクが広く利用されるようになってきた。このような光ディスクの具体例として、ＣＤ−Ｒ／ＲＷやＤＶＤ−Ｒ／ＲＷ／ＲＡＭ（今後はブルーレーザを用いた次世代光ディスク）がある。また、このような光ディスクを利用した装置（パーソナルコンピュータ、ビデオレコーダなど）も広く普及している。
【０００３】
録再可能な光ディスク自体は、生ディスクで販売される際は、通常、個別の記録内容に関連するラベルあるいは絵柄を持たない。各ディスクに記録（録画）がなされる前後に、ユーザが手書きまたはラベルプリンタを用いて、そのディスクの片面（非情報記録面）に記録内容に関連するラベル（絵柄や文字）等を記載するのが普通である。
【０００４】
ところで、最近は、ユーザが手書きしたりラベルプリンタを用いることなく、絵文字を記録できる録再可能な光ディスクも開発されるようになってきた。このような光ディスクには２種類ある。１つはレーベル面（ラベル面）に絵文字をレーザ記録するもの（例えばヒューレットパッカード社が開発した“lightScribe”）であり、もう１つは情報記録面に絵文字を記録するものである（非特許文献１参照）。
【０００５】
前者の「レーベル面に絵文字をレーザ記録する」ものでは、特にＣＤ−Ｒ／ＲＷのように単板ディスク構造で基板表面から情報記録面までの距離がレーベル面側からと情報記録面側とで大きく異なる場合、情報記録用のレーザピックアップを絵文字の記録用に共用しようとすると、フォーカス可動範囲を多く取らねばならなくなる。この問題を避けるために絵文字記録専用のレーザヘッドを別に設けると、コストアップに繋がる。
【０００６】
後者の「情報記録面に絵文字を記録する」ものでは、通常の情報記録用レーザピックアップを絵文字記録用にそのまま利用できるので、ピックアップ部分でのコストアップの問題は回避できる。
【非特許文献１】“ＣＤ−Ｒ／ＲＷドライブでディスクへの印字描画技術を開発”、［online］、２００２年０２月２１日、ヤマハ（株）広報部、インターネット＜ＵＲＬ：http://www.yamaha.co.jp/news/2002/02021501.html＞
【発明の開示】
【発明が解決しようとする課題】
【０００７】
非特許文献１の方法では、ディスクの未記録部分を利用してラベルの絵文字（記録内容のメモ、あるいはロゴやイラストなど）を記録するので、ディスクの情報記録面にラベル記録用のエリアが残っている必要がある。このことは、ラベル記録に使う分、ディスクの記憶容量が減少してしまうことを意味する。
【０００８】
この発明は上記事情に鑑みなされたもので、その目的の１つは、ディスクの情報記録面にラベル情報の記録ができるようにしつつも、ラベル記録によるディスクの記憶容量減少を防ぐことができる記録方法、およびこの方法を用いる装置を提供することである。
【課題を解決するための手段】
【０００９】
この発明の一実施の形態に係る記録方法は、記録再生可能な情報記録面を持つ光ディスクを用いてデジタルコンテンツとラベルを記録する方法である。この記録方法においては、まず前記ラベルが記録されるべきラベル位置（“Ａ”等の絵文字が記録される位置）を決定する（ステップＳＴ１２）。そして、前記光ディスクの情報記録面のうち、前記ラベル位置以外では、通常の方法で、前記デジタルコンテンツの情報（デジタルビデオコンテンツ、コンピュータデータなど）を記録する（ステップＳＴ１６）。一方、前記光ディスクの情報記録面のうち、前記ラベル位置では、前記ラベルの情報（“Ａ”等の絵文字のパターン情報）を、その視覚的なパターンがこのラベル位置以外と異なるように変調をかけて記録するとともに、このラベル位置内に前記デジタルコンテンツの情報も混在して記録する（ステップＳＴ２２）。
【００１０】
ここで、ラベル位置での情報記録に用いる変調方法は、記録後のラベルの絵文字パターンが周辺の通常記録パターンと視覚的に異なって見えるような方法である。具体的には、ラベル位置での記録信号のＤＣ成分がほぼゼロとなるようにデューティ比５０％前後の変調をかけたり、および／またはラベル位置における記録信号レベル（記録レーザパワー）をラベル位置以外より下げるなどの方法を採ることができる。
【００１１】
なお、絵文字パターンをコンテンツ情報と同じエリアに同時記録することから、絵文字パターンの存在によりコンテンツ情報の記録再生に障害（エラー）がでてはまずい。そのため、絵文字の挿入は、コンテンツ情報の符号訂正が十分に機能する範囲で、レーザピックアップに変調をかけることになる。具体的には、記録情報の情報欠落をもたらし得る絵文字パターン部分が、符号訂正のインターリーブ長の半分以下となるような変調をかけるなどの方法を採ることができる。
【発明の効果】
【００１２】
ラベルの絵文字パターン記録エリアを通常の情報記録に用いるエリア内に設けることにより、ラベル専用の記録エリアを別途用意する必要がなくなる。
【発明を実施するための最良の形態】
【００１３】
以下、図面を参照して、この発明の一実施の形態を説明する。図１は、この発明の一実施の形態に係る光ディスクにラベルの絵文字がどのように記録されるかの一例を説明する図である。この光ディスク１としては、例えば片面１記録層タイプのＣＤ−Ｒ／ＲＷやＤＶＤ−Ｒ／ＲＷ／ＲＡＭを用いることができる。以下では、仮に片面１記録層タイプのＤＶＤ−ＲＷを具体例にとって説明する（記録層以外ＤＶＤ−Ｒも同様）。
【００１４】
この例でのＤＶＤ−ＲＷディスク１は、１５ｍｍの内径１ａと１２０ｍｍの外径１ｂをもち、内径側にクランプ領域ＣＡが設けられている。クランプ領域ＣＡの外周（半径２４ｍｍ位置）から外径１ｂ側（半径５８ｍｍ位置）にかけて情報記録領域ＤＡが設けられている。この領域ＤＡのうち、内径１ａ側にリードインエリアが存在し、外径１ｂ側にリードアウトエリアが存在する。そして、リードインエリアの始端からリードアウトエリアの終端に向かってスパイラル状のトラックが形成され、そのトラック上に物理セクタが割り振られている。この物理セクタの番号により、ディスク１の記録領域ＤＡ上の物理的な位置を特定することができる。また、トラックの絶対物理アドレスとしてＥＣＣブロックアドレスが規定されており、このＥＣＣブロックアドレスでもってディスク１の記録領域ＤＡ上の物理的な位置を特定することもできる。
【００１５】
情報記録用レーザの変調方法を変えることによりラベル文字ＬＢの明暗パターンを記録領域ＤＡの何処に形成するかは、上記物理セクタ番号および／またはＥＣＣブロックアドレスを用いて決めることができる。
【００１６】
図２は、図１の光ディスクに記録される絵文字と、この絵文字に対応する記録信号との関係を説明する図である。図２（ａ）は、図１の“ＬＢａ”〜“ＬＢｂ”線に沿った、ディスク１の部分断面を例示している。また、図２（ｂ）は、図２（ａ）に示された情報記録領域ＤＡ１〜ＤＡ３の記録信号ＲＳとその間に形成されるラベル文字ＬＢの記録信号ＧＲＳを例示している。また、図２（ｃ）は、図２（ｂ）の記録信号ＧＲＳを作り出す際に用いるゲート信号ＧＳを例示している。
【００１７】
図２の例では、ラベルの絵文字記録部分（図２（ａ）のＬＢ部分）において、デューティ比５０％のゲート信号ＧＳで記録信号ＲＳをチョッピングすることにより、断続的な記録信号ＧＲＳを作り出している。この断続的な記録信号ＧＲＳに対応したレーザでディスク１に記録を行なうことにより、連続的な記録信号ＲＳに対応したレーザによる記録部分とは視覚上の見え方の異なる情報記録が、ディスク１に対して行われる（ＤＶＤ−ＲＷでは相変化の状態変化で見え方が変化し、ＤＶＤ−Ｒでは色素の変色具合で見え方が変化する）。この「視覚上の見え方の異なる情報記録」の跡が、ディスク１の情報記録領域ＤＡにラベル文字ＬＢ（図１の例では“Ａ”というラベル文字）を形成することになる。
【００１８】
なお、記録信号ＲＳをチョッピングして記録信号ＲＳを断続化しても、この断続により失われる情報がエラー訂正（ＥＣＣ）の効く範囲内であれば、ラベル文字の記録によりディスク本来の情報記録容量が減ることはない（例えば、片面４．７ＧＢのＤＶＤ−ＲＷの記憶容量は、ラベル記録をしても、４．７ＧＢ分確保できる）。この「エラー訂正の効く範囲内」は、断続部分がインターリーブ長の半分以下となるように制御すれば、具現できる。
【００１９】
ところで、図２の例では、記録信号ＧＲＳの末尾のデューティ比が５０％にならない場合（元の絵文字ＬＢのパターンがデューティ比５０％のタイミングで丁度良く終了するとは限らない）に、その部分のデューティ比が５０％となるように、ゲート信号ＧＳの末尾を調整している。（１回でデューティ比５０％に調整できないときは、続く２回目以降でもデューティ比調整を行なう）。このようにして、記録信号ＧＲＳの平均値（ＤＣ成分）がゼロになるように常時制御する。
【００２０】
この調整により、記録信号ＧＲＳのＤＣ成分を全体としてほぼゼロに均しておけば、ラベル絵文字部分と通常記録部分との間で、ＤＶＤ−ＲＷの相変化記録層（ＤＶＤ−Ｒでは色素記録層）の見え方が異なってくる。またＤＣ成分をゼロに制御すると絵文字部分の濃淡の見え方にムラが出なくなる。これにより、見た目も美しいラベル文字ＬＢをディスク１の情報記録領域ＤＡに記録できる。
【００２１】
なお、上記の例では記録信号ＧＲＳの平均値（ＤＣ成分）をゼロに制御しているが、要はラベル文字部分の見え方が周辺と異なればよい（あくまで目視でラベル文字の明暗が出ればよい）のであるから、記録信号ＧＲＳの平均値は必ずしもゼロである必要はない。そこで、ラベル文字記録用の記録信号ＧＲＳを、ＤＣ成分ゼロに制御する代わりに、その信号レベルが通常記録用記録信号ＲＳより小さくなるように（ただし再生時に記録情報の読み取りが可能な程度の大きさで）制御してもよい。
【００２２】
また、図２（ｄ）のように、ラベル文字記録部分においてＤＣ成分ゼロに制御される記録信号ＧＲＳは、デューティ比５０％の周期が１１ｔ（１１サイクル）よりも長いＤＣ制御された信号としても良い。このほうがよりＤＣ制御が精密で、ラベル文字記録部分における信号再生能力が向上できる。またこの周期は、長いほど視認しやすくなる。図２（ｄ）の信号周期を長くした場合は、ラベル文字記録部分の明暗の視認性が上がるので、その場合は、記録信号ＧＲＳ（あるいはゲート信号ＧＳ）のデューティ比は、必ずしも５０％である必要はない（５０％前後は望ましい値ではある）。
【００２３】
図３は、図１の光ディスク１に通常の情報記録とラベル絵文字の記録を行なう処理手順の一例を説明するフローチャートである。この処理では、記録再生可能な情報記録面を持つ光ディスク（ＤＶＤ−ＲＷなど）１を用いてデジタルコンテンツとラベルを記録する。
【００２４】
まず、ラベルの絵文字パターンを生成する（ステップＳＴ１０）。このラベル絵文字パターン生成には、パーソナルコンピュータでお馴染みのお絵かきソフトか、ディスクレコーダのファームウエアに組み込まれたパターン生成ソフトか、所望の絵文字パターンのスキャナ取り込みを利用できる。
【００２５】
所望の絵文字（ラベル用ビットマップデータ、あるいは絵文字のベクトル情報等）が生成されたら、その絵文字の輪郭を囲む範囲（矩形範囲、またはドーナッツ形状の一部を扇状に切り取った湾曲矩形範囲）で定まるラベル位置が、ディスク１上の何処にくるかを決める（ステップＳＴ１２）。このラベル位置決定は、ユーザが任意に決めるか、この処理を実行するファームウエアがデフォルトで決めることができる。なお、このラベル位置は、該当ディスク１の未記録領域上（あるいは上書き可能領域上）に選ばれる。
【００２６】
こうして決定されたラベル位置（決定された絵文字パターンのディスク上位置）の範囲から、その位置に対応する物理セクタ番号（あるいはＥＣＣブロックアドレス）が求められる（ステップＳＴ１４）。こうして、ディスク１のどの位置にどんな絵文字パターンを記録するかが分かってから、ディスク１の未記録領域上（あるいは上書き可能領域上）に対して、通常の変調方法で（記録信号ＲＳの）情報記録が開始される（ステップＳＴ１６）。この情報記録は、ラベル位置以外では記録が終了しない限り反復される（ステップＳＴ１８ノー、ステップＳＴ２０ノー）。
【００２７】
情報記録進行中（ステップＳＴ１８ノー）、記録位置がラベル位置（図２（ａ）の例ではラベル文字ＬＢの左端位置）にくると（ステップＳＴ２０イエス）、変調方法を変更して、ラベル文字の記録を兼ねた情報記録が行われる（ステップＳＴ２２）。具体的には、図２（ｂ）に例示されるように、記録信号ＲＳをデューティ比５０％のゲート信号ＧＳでチョッピングした記録信号ＧＲＳ（あるいはラベル位置以外よりも信号レベルを落とした記録信号ＲＳ）により、情報記録が行われる。この記録はラベル位置にある間、継続する（ステップＳＴ２４イエス）。
【００２８】
記録のレーザビームがラベル位置を通過（図２（ａ）の例ではラベル文字ＬＢの右端位置を通過）すると（ステップＳＴ２４ノー）通常の変調方法による記録に戻る（ステップＳＴ１６）。以上の処理（ステップＳＴ１６〜ＳＴ２４）が、記録終了（ステップＳＴ１８イエス）するまで反復される。これにより、ディスク１の記録領域ＤＡ上に、通常の情報記録とともに、視覚上の明暗を伴ったラベル文字ＬＢ（図１の例では“Ａ”）の記録がなされる。
【００２９】
なお、ステップＳＴ２２の処理において、通常は、ラベル情報の変調は、記録波形のデューティ比が５０％前後（ＤＣ成分がほぼゼロとなるようなデューティ比）となるように行われる。そうすることが、記録されたラベル文字のコントラストが良好になるので好ましい。しかし、その代わりに、あるいはデューティ比５０％の変調方法と併用して、ラベル位置における変調が、ラベル位置以外の場合より低くなる（例えばラベル位置での平均レーザ出力を、ラベル位置以外の半分にするなど）ように構成することもできる。ラベル位置における信号レベルを適宜低減する方法では、レベル低減の度合いに応じて、ラベル絵文字に視覚上の階調を持たせることも可能である。同様に、ラベル位置におけるデューティ比を（記録情報の再生時にエラー訂正が可能な範囲で）５０％を中心に前後させることでも、多少の階調を出すことは可能である。
【００３０】
ところで、図３のステップＳＴ２２における処理は、３種類に分けて（モディファイして）考えることができる。第１は、光ディスク１の情報記録面のうち、ラベル位置では、ラベルの情報（図１の“Ａ”など）を、その視覚的なパターンがこのラベル位置以外と異なるように、エラー訂正が可能な範囲で変調をかけて記録する（図２（ｂ）のＧＲＳを用いる）のであるが、このラベル位置内（ラベルの形成エリア内）に前記デジタルコンテンツの情報（図２（ｂ）のＧＲＳの一部に対応する信号成分…図４の構成ではＡＮＤゲート１０６を通過した記録信号ＲＳの成分）も混在して記録する（ステップＳＴ２２）ように構成するものである。
【００３１】
第２は、光ディスク１の情報記録面のうち、ラベル位置内の特定記録トラック（例えば図１の“Ａ”の文字頂上部分を横切るトラック）では前記ラベルの情報を記録し、前記特定記録トラックに隣接する隣接トラック（例えば図１の“Ａ”の文字内部のΔ部分を横切るトラック…図１、図２の例ではＤＡ２部分）では前記デジタルコンテンツの情報を記録することで、前記ラベル位置内（ラベルの形成エリア内）では、前記ラベルの情報と前記デジタルコンテンツの情報とを混在して記録する（ステップＳＴ２２）ように構成するものである。
【００３２】
第３は、光ディスク１の情報記録面のうち、ラベル位置内の特定セクタ（例えば図１のラベル文字“Ａ”のうち、図２（ａ）左側のＬＢに対応した位置のセクタ）では前記ラベルの情報を記録し、前記特定セクタに隣接する隣接セクタ（例えば図２（ａ）中央のＤＡ２対応した位置のセクタ）では前記デジタルコンテンツの情報を記録することで、前記ラベル位置内（ラベルの形成エリア内）では、前記ラベルの情報と前記デジタルコンテンツの情報とを混在して記録する（ステップＳＴ２２）ように構成するものである。
【００３３】
図４は、図１の光ディスク１に通常の情報記録とラベル絵文字の記録を行なうディスクドライブ装置の構成例を説明するブロック図である。図４のシステムコントローラ１００は、ＭＰＵ、ＲＯＭ、ＲＡＭ等で構成されており、図３のフローチャートの処理のを行なうプログラムは、コントローラ１００内のＲＯＭにファームウエアとして書き込んでおくことができる。
【００３４】
図４の構成において、ディスク１に記録すべきコンテンツのデータとラベルデータは、データバッファ回路１０２に入力される。回路１０２から送出されるコンテンツデータは、データ・リード／ライト回路およびデータ・エンコード／デコード回路１０４に入力される。回路１０４からは、コンテンツ情報に対応した記録信号ＲＳ（図２（ｂ）参照）が出力され、ＡＮＤゲート１０６を介して記録制御回路１０８に送られる。
【００３５】
一方、回路１０２から送出されるラベルデータは、記録データ変調駆動回路１１０に送られる。システムコントローラ１００内のＭＰＵは、回路１１０に対して、ラベルデータをディスク１の何処（物理セクタ番号の何番から何番まで、あるいはＥＣＣブロックアドレスの何処から何処まで）に記録すべきなのかを、通知する。この通知により、回路１１０は、図２（ｃ）に示すようなタイミングで、デューティ比５０％のゲート信号ＧＳをＡＮＤゲート１０６に入力する。その結果、ＡＮＤゲート１０６からは、図２（ｂ）に示すように、ラベル文字ＬＢの記録位置のタイミングで、デューティ比５０％のゲート信号ＧＳで変調された（チョッピングされた）断続的な記録信号ＧＲＳを、記録制御回路１０８に送る。こうして得られた記録信号ＲＳ（ラベル位置以外）あるいは記録信号ＧＲＳ（ラベル位置）によりレーザピックアップ１０のレーザダイオードを駆動して、ディスク１の情報記録領域ＤＡに、ラベル文字（絵文字パターン）入りの情報記録を行なう。
【００３６】
なお、記録データ変調駆動回路１１０内では、ＮＲＺＩ（non-return to zero inverted）変換された変調チャネルビットストリーム内で累積されたＤＳＶ（digital sum value）の絶対値を最小化するという、ＤＣＣ（DC component suppression control）制御を行なうようにしてもよい。記録信号ＧＲＳをデューティ比５０％変調することによりそのＤＣ成分をゼロにする制御を行なうときは、上記ＤＣＣ制御を併用することは良い方法の１つである。
【００３７】
なお、図４の構成では、スピンドルモータ１２に取り付けられたロータリエンコーダ１４の出力をメモリアドレス制御回路１３０Ｃに常時送っており、レーザピックアップ１０がディスク１のどのセクタをトレースしているかをリアルタイムで検出できるようにしている。メモリアドレス制御回路１３０Ｃは、ディスク１上のラベル記録位置に対応するセクタを検出すると、それをデータバッファ回路１０２内のラベルデータメモリに送る。これにより、回路１０２から記録データ変調駆動回路１１０へ、リアルタイムで、ラベル位置にきたことを、タイムリーに通知できる。
【００３８】
ところで、ラベル位置部分では、図２（ｂ）のようにデータが断続する（ミュートされる）部分があるので、その部分の再生時に、フォーカスサーボやトラッキングサーボが外れる（またはサーボが不安定になる）恐れがないでもない。そこで、図４の構成では、次のような構成を備えている。すなわち、ＲＦアンプ１２０からのトラッキングエラー信号ＴＥをトラッキングサーボ制御回路１２２で処理したあとの信号をＬＰＦ１２４でフィルタリングし、ＡＤＣ１３０Ａでデジタル化したあと、偏芯・面振れ補正回路１３０内の偏芯補正処理部に送る。さらに、ＲＦアンプ１２０からのフォーカスエラー信号ＦＥをフォーカスサーボ制御回路１２６で処理したあとの信号をＬＰＦ１２８でフィルタリングし、ＡＤＣ１３０Ａでデジタル化したあと、偏芯・面振れ補正回路１３０内の面振れ補正処理部に送る。
【００３９】
偏芯・面振れ補正回路１３０内のメモリアドレス制御回路１３０Ｃにはロータリエンコーダ１４からディスク１のトレース状況がリアルタイムで送られてきているので、回路１３０は、ラベル位置部分で図２（ｂ）のようにデータが断続する（ミュートされる）部分を検出することができる。そこで、回路１３０は、検出したラベル位置の断続部分において、直前の非断続部分におけるトラッキングエラー補正信号（Ｓ１）／フォーカスエラー補正信号（Ｓ２）をトラッキングサーボループ／フォーカスサーボループに注入する（これは回路１３０内に補正信号Ｓ１／Ｓ２のホールド回路を設けても実現できる）。こうして、ラベル位置部分でフォーカスサーボやトラッキングサーボが外れる（またはサーボが不安定になる）恐れを取り除くことができる。
【００４０】
（図４の装置構成の補足説明１）
図４は、同心円状あるいは螺旋状の記録トラックにより構成される記録再生可能な情報記録面を持つ光ディスク１を用いて、デジタルコンテンツとラベルを、エラー訂正用のインターリーブを施して記録する装置（ディスクドライブ、あるいはこのドライブを装備したパーソナルコンピュータや光ディスクレコーダ）である。この装置は、光ディスク１を回転駆動するスピンドルモータ１２と、このスピンドルモータ１２で回転駆動される光ディスク１に対してレーザ記録を行なうとともに、光ディスク１からのレーザ反射光を検出するレーザピックアップ１０と、ラベルが記録されるべきラベル位置を決定する構成（１００、１０２）と、光ディスク１の情報記録面のうち、ラベル位置以外では、デジタルコンテンツの情報を記録するようにレーザピックアップ１０を駆動する構成（１０４、１０８）とを備えている。さらに、この装置は、光ディスク１の情報記録面のうち、ラベル位置では、ラベルの情報を、その視覚的なパターンがこのラベル位置以外と異なるように、エラー訂正が可能な範囲で変調をかけて記録するとともに、このラベル位置内にデジタルコンテンツの情報も混在して記録する構成（１１０、１０６）を備えている。
【００４１】
（図４の装置構成の補足説明２）
また、図４の装置は、光ディスク１の情報記録面のうち、ラベル位置内の特定記録トラックではラベルの情報を記録し、前記特定記録トラックに隣接する隣接トラックではデジタルコンテンツの情報を記録することで、前記ラベル位置内では、前記ラベルの情報と前記デジタルコンテンツの情報とを混在して記録する構成（１１０、１０６）を備えることができる。
【００４２】
（図４の装置構成の補足説明３）
さらに、図４の装置は、光ディスク１の情報記録面のうち、ラベル位置内の特定セクタではラベルの情報を記録し、前記特定セクタに隣接する隣接セクタではデジタルコンテンツの情報を記録することで、前記ラベル位置内では、前記ラベルの情報と前記デジタルコンテンツの情報とを混在して記録する構成（１１０、１０６）を備えることができる。
【００４３】
（実施の形態のまとめ）
録再型光ディスクにおいて、記録情報とラベル情報を同時に記録し、目視でラベルのイラストや文字を認識できるようにしつつ、情報記録容量を目減りさせないようにする。
【００４４】
情報記録時にラベル情報部分で記録信号をさらに変調（デューティ比５０％チョッピングなど）し、ラベルのパターンが目視で判別できるように、記録する。その際、ラベル情報部分は、データ欠落に対して十分に訂正可能な期間とする（例えばインターリーブ長の１／２以下の変調とし、訂正への影響を出来るだけ軽くする）。バースト状の欠落と欠落無しの記録領域によって、ラベルの絵文字パターンを目視可能情報とすることができる。
【００４５】
なお、この発明は上記した実施の形態そのままに限定されるものではなく、実施段階ではその要旨を逸脱しない範囲で構成要素を種々変形して具体化することができる。
【００４６】
たとえば、この発明は、片面１記録層タイプの光ディスクだけでなく、両面１記録層タイプの光ディスクでも実施できる。さらに近い将来実用化されるであろう片面多記録層（または両面多記録層）タイプの録再可能光ディスクでも実施できる。また、図４のディスクドライブ装置は、パーソナルコンピュータやＤＶＤ−ＶＲなどの光ディスクレコーダに利用することができる。また、この発明は、ＤＶＤだけでなく、ＣＤ−Ｒ／ＣＤ−ＲＷや、ブルーレーザを用いたハイビジョン光ディスクレコーダにおいても実施可能である。
【００４７】
また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係る構成要素を適宜組み合わせても良い。
【図面の簡単な説明】
【００４８】
【図１】この発明の一実施の形態に係る光ディスクにラベルの絵文字がどのように記録されるかを説明する図。
【図２】図１の光ディスクに記録される絵文字と、この絵文字に対応する記録信号との関係を説明する図。
【図３】図１の光ディスクに通常の情報記録とラベル絵文字の記録を行なう処理手順の一例を説明するフローチャート図。
【図４】図１の光ディスクに通常の情報記録とラベル絵文字の記録を行なうディスクドライブ装置の構成例を説明する図。
【符号の説明】
【００４９】
１…録再可能光ディスク（ＣＤ−Ｒ／ＲＷ、ＤＶＤ−Ｒ／ＲＷ／ＲＡＭなど）；ＤＡ…情報記録領域；ＬＢ…ラベル文字（絵文字の明暗パターン）。
【図１】
2005339735.tif 000003
【図２】
2005339735.tif 000004
【図３】
2005339735.tif 000005
【図４】
2005339735.tif 000006